(57)【要約】  【課題】  本発明は、治療現場での取扱い性の向上、治療効果と安全性を確保したハンドピースを提供する。  【解決手段】  ホルダー先端においてはチップ固定ネジ６を緩めてチップ固定ゴム７、先端チップ８に光ファイバ１を挿入し、先端チップの先端部から光ファイバ１が突き出す状態でチップ固定ネジをねじ込んで先端チップを押すことでチップ固定ゴム７に力を加えて変形させて光ファイバ１を出射近傍で固定することができる。【選択図】  図１
2007037582.tif 000002
【特許請求の範囲】
【請求項１】
レーザ光を導光する光ファイバを保持する本体部と、前記本体部の先端に位置し、前記光ファイバを貫通させて、前記光ファイバの先端を露出させるよう保持する先端チップとを有するハンドピースにおいて、
前記先端チップが前記本体部に着脱可能であり、後端部から所定距離だけ先端部寄りの位置に他の部分より外径が大きい部分を有して段差部を形成していて、
前記ハンドピースは、弾性体からなり前記光ファイバを貫通させる貫通孔を有し前記本体部の先端近傍に内蔵されたファイバ固定部材と、前記本体部の前記先端近傍において前記本体部の外周に螺合し、前記先端チップの前記段差部に当接して前記先端チップを前記本体部方向に押圧して固定し、よって前記ファイバ固定部材を圧縮することが可能な先端チップ固定ネジを有することを特徴とするハンドピース。
【請求項２】
前記ファイバ固定部材の先端がテーパー形状であることを特徴とする請求項１に記載のハンドピース。
【請求項３】
前記ファイバ固定部材の先端が円錐形状であることを特徴とする請求項１に記載のハンドピース。
【請求項４】
前記ファイバ固定部材がシリコンからなることを特徴とする請求項１に記載のハンドピース。
【請求項５】
前記本体部の前記先端近傍における前記ファイバ固定部材を収納する部分の内径が、前記収納する部分寄り先端側の内径より大きく、かつ前記ファイバ固定部材の少なくとも一部の外径と略等しいことを特徴とする請求項１に記載のハンドピース。
【発明の詳細な説明】
【技術分野】
【０００１】
本発明はレーザ光を導く光ファイバを保持するハンドピースに関し、特にハンドピースの先端近傍における光ファイバの固定のための構造の改良に関する。
【背景技術】
【０００２】
一般にレーザ光を導光する光ファイバを組み込み、保持して使用するハンドピースについて図２を用いて説明する。図２は下記の特許文献１に記載された従来のハンドピースを示す図である。レーザ照射方向を定めるため光ファイバ３１のガイドをする先端部３２がホルダー３３の先端にネジ構造などにより固定されている。光ファイバが組み込まれたレーザプローブをホルダー３３に取り付けるとき、ホルダー３３の固定部３４を回転させて緩めてレーザプローブの構成部材である光ファイバ３１、シース３５をホルダー３３に挿入し、光ファイバ３１を先端チップ３２の先端から突き出した状態で固定部３４を逆回転させて締め込むことでシース３５を固定する。光ファイバ３１の先端部が破損又は汚れた時は、Ａ部を切り捨て代わりにＢ部を先端として使用する。
【特許文献１】特開平７−２８４５００号公報（第１図）
【発明の開示】
【発明が解決しようとする課題】
【０００３】
しかしながら、上記従来の構成では、使用により血液などで一番汚染されやすい先端部３２がホルダー３３から着脱できない構造になっている。また、先端部３２が曲がっているため回転させて着脱しようとした場合、光ファイバ３１に捩れが加わり損傷する。また、光ファイバ３１の保護をするシース３５は固定部３４で固定されていても光ファイバ自体が先端近傍で固定されてないため光ファイバ３１の先端に照射対象物が突き当たった場合など光ファイバ３１の先端が引っ込むこともあり得る。特に、歯科で根管治療など目に見えない場所に挿入して使用する場合、光ファイバ３１が引っ込んだ状態で使用することは治療効果を低下させることのみならず、非常に危険でもある。なぜなら、光ファイバ３１は５ｍｍ以上、バッファ３６を剥いてバッファ部も合わせて先端部３２の先端から突き出さなければ、クラッド３７が傷ついて蒸散物など異物付着が起こるとレーザ光が漏れて融点が低いバッファ３６が溶融する。
本発明は、上記従来の課題を鑑み、先端部を容易にハンドピース部に着脱でき、しかも先端部からの光ファイバの突き出し長が変化しないように光ファイバを先端近傍で固定する構造を提供することを目的とする。
【課題を解決するための手段】
【０００４】
上記目的を達成するために、ハンドピースにファイバ固定ゴムを内蔵させ、光ファイバを前記ファイバ固定ゴムおよび先端チップに挿入する。その後、チップ固定ネジを前記ハンドピースにねじ込むことで前記先端チップを押込み、前記ファイバ固定ゴムが押されて変形し、前記ファイバ固定ゴムを貫通している前記光ファイバを締め付けて固定する。すなわち本発明によれば、レーザ光を導光する光ファイバを保持する本体部と、前記本体部の先端に位置し、前記光ファイバを貫通させて、前記光ファイバの先端を露出させるよう保持する先端チップとを有するハンドピースにおいて、
前記先端チップが前記本体部に着脱可能であり、後端部から所定距離だけ先端部寄りの位置に他の部分より外径が大きい部分を有して段差部を形成していて、
前記ハンドピースは、弾性体からなり前記光ファイバを貫通させる貫通孔を有し前記本体部の先端近傍に内蔵されたファイバ固定部材と、前記本体部の前記先端近傍において前記本体部の外周に螺合し、前記先端チップの前記段差部に当接して前記先端チップを前記本体部方向に押圧して固定し、よって前記ファイバ固定部材を圧縮することが可能な先端チップ固定ネジを有することを特徴とするハンドピースが提供される。
この構成によれば、チップ固定ネジを外すことで容易に先端チップを着脱させることができる。また、チップ固定ネジを緩めるだけで光ファイバの先端チップからの突き出し長を容易に変えることができ、しかも締め付けることで確実に光ファイバを固定することができる。
【０００５】
また、ファイバ固定部材の先端がテーパー形状であることや、その一形態の円錐形状であることは本発明の好ましい態様である。
これらの構成により、先端チップ固定ネジを締め付けたとき、先端チップの後端部によりファイバ固定部材が、効果的に外周から中心に向かって圧縮され、内部の光ファイバを固定することができる。
【０００６】
また、ファイバ固定部材がシリコンからなることは、本発明の好ましい態様である。
この構成により、高温と薬品に対する耐久性を有し、滅菌・消毒処理を施すことが可能となる。
【０００７】
また、本体部の先端近傍におけるファイバ固定部材を収納する部分の内径が、収納する部分寄り先端側の内径より大きく、かつファイバ固定部材の少なくとも一部の外径と略等しいことは、本発明の好ましい態様である。
この構成により、ファイバ固定部材が本体部に確実に保持され、よって本体部からの脱落を効果的に防止することができる。
【発明の効果】
【０００８】
以上のように本発明によれば、ハンドピース先端の先端チップの着脱や光ファイバの固定が非常に簡単な構成で達成でき、医療現場での取扱い性の向上や医療事故の低減につながるという多大な効果を奏する。
【発明を実施するための最良の形態】
【０００９】
＜実施の形態１＞
以下、本発明の実施の形態１について、図１を用いて説明する。
レーザプローブの出射部においては、光ファイバ１とその保護を目的としたシース２から成っている。レーザプローブをホルダー３に接続する場合、ホルダー固定ネジ４を緩め、光ファイバ１とシース２をホルダー固定ゴム５に挿入する。そして、ホルダー先端においてはチップ固定ネジ６を緩めてチップ固定ゴム７、先端チップ８に光ファイバを挿入し、先端チップ８の先端部から光ファイバ１が突き出す状態でチップ固定ネジ６をねじ込んで先端チップ８を押すことでチップ固定ゴム７に力を加えて変形させて光ファイバ１を出射近傍で固定することができる。光ファイバ１の固定状態については、バッファ９を所定距離ｃ（例えば５ｍｍ以上）にわたって剥いで、クラッド１を露出させて、バッファ９の一部も併せて先端チップ８の先端から突き出す必要がある。クラッド１０が先端チップ８の先端エッジで傷つくと蒸散物など異物付着でレーザ光が漏れて融点が低いバッファ９が溶融する。また、ホルダー固定ネジをねじ込んでホルダー固定ゴム５に力を加えて変形させ、シース２を固定する。ホルダー３から先端チップ８までの全体でハンドピースを構成している。
【００１０】
なお、チップ固定ゴム７はホルダー３に挿入された状態でオートクレーブ滅菌やアルコール消毒などの滅菌・消毒処理を施すことがあるためチップ固定ゴム７の材質は高温に対する耐久性、薬品への耐久性があるシリコンなどの材質が望ましい。
【００１１】
また、チップ固定ゴム７の形状は外径がホルダー入口径ａより大きく、収納位置では略同等であることが望ましい。チップ固定ゴム７の脱落を防ぎ、チップ固定ネジ６をねじ込んだ時、ゴムの変形の逃げが少ないため光ファイバ１の固定が効果的になる。さらに、チップ固定ゴム７と先端チップ８の接触部ｂは円錐形状などのテーパー形状をしていることが望ましい。
【００１２】
以上の構成により、実際の治療の際に血液などで一番汚染され易い先端チップを容易に着脱でき、新たな先端チップと交換もできる。先端チップの着脱の場合、光ファイバに捩れなど応力が加わらないため、光ファイバをホルダーから外す必要がなく治療現場での取扱い性が向上する。さらに、先端近傍で光ファイバを固定できるため障害物に突き当たっても先端チップからの突き出し長が変化せず、根管内照射など目視できない状況での照射でも安全にしかも安定した治療効果を得ることができる。目視できない状況で照射対象物に達する前に障害物に突き当たって光ファイバの突き出し長が変化すれば、照射対象物への治療効果が減少したり、クラッドに傷が入って光ファイバが損傷する危険性が高まり医療事故につながる恐れもある。
【産業上の利用可能性】
【００１３】
本発明のハンドピースは、先端チップの着脱を容易にし、治療現場での取扱い性を向上させることができ、また、先端近傍で光ファイバを確実に固定することができるため安全で安定した治療ができるので医療を目的にしたレーザ用ハンドピースなどに有用である。
【図面の簡単な説明】
【００１４】
【図１】本発明のハンドピースの実施の形態１における断面図
【図２】従来のハンドピースの外観図
【符号の説明】
【００１５】
１、３１  光ファイバ
２、３５  シース
３  ホルダー
４  ホルダー固定ネジ
５  ホルダー固定ゴム
６  チップ固定ネジ
７  チップ固定ゴム
８  先端チップ
９、３６  バッファ
１０、３７  クラッド
３２  先端部
３３  ホルダー
３４  固定部
【図１】
2007037582.tif 000003
【図２】
2007037582.tif 000004